(57)【特許請求の範囲】
【請求項１】
計時手段、画像を表示する表示部及び音声を出力する音声出力部を備える携帯電話端末の着信音を出力するためのデータ、又は待ち受け画面若しくは着信画面を表示するためのデータを含むコンテンツデータを記憶するコンテンツ記憶装置からコンテンツデータを検索し、検索されたコンテンツデータを送信する中央装置と、該中央装置から送信されたコンテンツデータを受信し、受信したコンテンツデータに基づいてコンテンツを出力する前記携帯電話端末とを用いて、コンテンツデータを前記携帯電話端末に提供するコンテンツ提供方法であって、
前記携帯電話端末が、
放送局から放送される番組の題名、チャンネル及び放送時刻を含む番組データを取得し、
前記計時手段が計時している時刻に放送されるべき番組に係る番組データの一部又は全部を含み、該番組に関連するコンテンツデータの送信を要求するコンテンツ要求データを送信し、
前記中央装置が、
前記携帯電話端末から送信されたコンテンツ要求データを受信し、
受信したコンテンツ要求データに基づいてコンテンツ記憶装置からコンテンツデータを検索し、
検索されたコンテンツデータを前記携帯電話端末に送信し、
前記携帯電話端末が、
前記計時手段が前記番組の放送時刻を計時している場合、前記コンテンツデータに基づいて着信音を出力し又は待ち受け画面若しくは着信画面を表示するように、該着信音又は待ち受け画面若しくは着信画面を設定する
ことを特徴とするコンテンツ提供方法。
【請求項２】
計時手段、画像を表示する表示部及び音声を出力する音声出力部を備える携帯電話端末の着信音を出力するためのデータ、又は待ち受け画面若しくは着信画面を表示するためのデータを含むコンテンツデータを記憶するコンテンツ記憶装置からコンテンツデータを検索し、検索されたコンテンツデータを送信する中央装置と、該中央装置から送信されたコンテンツデータを受信し、受信したコンテンツデータに基づいてコンテンツを出力する前記携帯電話端末とを備えるコンテンツ提供システムであって、
前記携帯電話端末は、
放送局から放送される番組の題名、チャンネル及び放送時刻を含む番組データを取得する取得手段と、
前記計時手段が計時している時刻に放送されるべき番組に係る番組データの一部又は全部を含み、該番組に関連するコンテンツデータの送信を要求するコンテンツ要求データを送信する送信手段と
を備え、
前記中央装置は、
前記携帯電話端末から送信されたコンテンツ要求データを受信する受信手段と、
該受信手段が受信したコンテンツ要求データに基づいてコンテンツ記憶装置からコンテンツデータを検索する検索手段と、
該検索手段にて検索されたコンテンツデータを前記携帯電話端末に送信する手段と
を備え、
更に、
前記携帯電話端末は、
前記計時手段が前記番組の放送時刻を計時している場合、前記コンテンツデータに基づいて着信音を出力し又は待ち受け画面若しくは着信画面を表示するように、該着信音又は待ち受け画面若しくは着信画面を設定する手段を備える
ことを特徴とするコンテンツ提供システム。
【請求項３】
前記コンテンツ要求データは番組の題名を含み、
前記検索手段は、
前記コンテンツ要求データに含まれる題名に基づいてコンテンツデータを検索するようにしてある
ことを特徴とする請求項２に記載のコンテンツ提供システム。
【請求項４】
前記中央装置は、
番組に係る前記番組データの一部又は全部、及び該番組に関連する文字列を対応付けたテーブルを記憶する記憶手段と、
前記受信手段が受信したコンテンツ要求データに含まれる番組データの一部又は全部、及び前記記憶手段が記憶しているテーブルに基づいて、前記番組に関連する文字列を特定する特定手段と
を備え、
前記検索手段は、
前記特定手段が特定した文字列に基づいて、コンテンツデータを検索する手段を備える
ことを特徴とする請求項２又は請求項３に記載のコンテンツ提供システム。
【請求項５】
計時手段、画像を表示する表示部及び音声を出力する音声出力部を備え、着信音を出力するためのデータ、又は待ち受け画面若しくは着信画面を表示するためのデータを含むコンテンツデータを受信し、受信したコンテンツデータに基づいてコンテンツを出力する携帯電話端末であって、
放送局から放送される番組の題名、チャンネル及び放送時刻を含む番組データを取得する取得手段と、
前記計時手段が計時している時刻に放送されるべき番組に係る番組データの一部又は全部を含み、該番組に関連するコンテンツデータの送信を要求するコンテンツ要求データを送信する送信手段と、
前記計時手段が前記番組の放送時刻を計時している場合、前記コンテンツデータに基づいて着信音を出力し又は待ち受け画面若しくは着信画面を表示するように、該着信音又は待ち受け画面若しくは着信画面を設定する手段と
を備えることを特徴とする携帯電話端末。
【請求項６】
計時手段、画像を表示する表示部及び音声を出力する音声出力部を備え、着信音を出力するためのデータ、又は待ち受け画面若しくは着信画面を表示するためのデータを含むコンテンツデータを受信し、受信したコンテンツデータに基づいてコンテンツを出力する携帯電話端末のコンピュータに、
前記計時手段が計時している時刻に放送されるべき番組に係る番組データの一部又は全部を含み、該番組に関連するコンテンツデータの送信を要求するコンテンツ要求データを生成し、
前記計時手段が前記番組の放送時刻を計時している場合、前記コンテンツデータに基づいて着信音を出力し又は待ち受け画面若しくは着信画面を表示するように、該着信音又は待ち受け画面若しくは着信画面を設定する
処理を実行させることを特徴とするコンピュータプログラム。
【発明の詳細な説明】
【技術分野】
【０００１】
本発明は、電子番組表から一の番組を受け付け、該番組に関連する使用者所望の各種コンテンツデータを提供することができるコンテンツ提供方法、該コンテンツ提供方法を実施するコンテンツ提供システム、該コンテンツ提供システムを構成する携帯電話端末、及びコンピュータを該通信装置として機能させるコンピュータプログラムに関する。
【背景技術】
【０００２】
携帯電話端末を用いて外出先から番組の録画予約を行うことができる録画予約システムが提案されている（例えば、特許文献１）。特許文献１に係る携帯電話端末は、番組データを取得して電子番組表を表示し、録画予約を受け付ける。録画予約を受け付けた携帯電話端末は、電話回線網を通じて録画予約情報を番組録画装置に送信する。番組録画装置は、携帯電話端末から送信された録画予約情報を受信し、番組の録画予約を行う。
【０００３】
また、テレビで選局された番組に同期し、該番組に関連する着信音、着信画面等のコンテンツを出力することができる携帯電話端末が提案されている（例えば、特許文献２）。特許文献２に係る携帯電話端末は、コンテンツ提供装置からコンテンツデータと、該コンテンツデータを一意に識別する識別情報をダウンロードし、記憶する。一方、番組放送局は、番組の放送信号に、該番組に関連するコンテンツデータを識別するための識別情報を含ませて放送するようにする。テレビは、携帯電話端末と通信可能に構成されており、選局された番組の放送信号に含まれている識別情報を携帯電話端末に送信する。携帯電話端末は、テレビから送信された識別情報に対応するコンテンツデータを選択し、コンテンツを出力する。
【特許文献１】特開２０００−４４３４号公報
【特許文献２】特開２００５−３３３３７１号公報
【発明の開示】
【発明が解決しようとする課題】
【０００４】
しかしながら、特許文献１及び２に係る携帯電話端末を用いて番組に関連するコンテンツデータをダウンロードするためには、予め番組の題名、主題歌、俳優、声優等を調べ、コンテンツ提供装置にアクセスし、調べた番組の題名、主題歌等の情報に基づいて所望のコンテンツを検索し、ダウンロードする必要があった。
本願発明者は、電子番組表を用いることで、番組に関連する使用者所望の各種コンテンツデータを効率的に提供できる点に着眼した。
【０００５】
なお、特許文献１に係る携帯電話端末は、電子番組表を表示させることはできるものの、電子番組表を用いて番組に関連する各種コンテンツデータを効率的にダウンロードすることはできない。
また、特許文献２に係る携帯電話端末は、テレビで選局されている番組と、出力するコンテンツとを同期させることができるものの、コンテンツ自体は上述のように別途ダウンロードしておく必要があり、電子番組表を用いて番組に関連する各種コンテンツデータを効率的にダウンロードすることはできない。
【０００６】
本発明は斯かる事情に鑑みてなされたものであり、端末装置が電子番組表から一の番組を受け付け、該番組データの一部又は全部を含むコンテンツ要求データを中央装置に送信し、中央装置がコンテンツ要求データに基づいてコンテンツデータを検索し、検索されたコンテンツデータを端末装置に送信するように構成することにより、一の番組に関連する使用者所望の各種コンテンツデータを効率的に提供することができるコンテンツ提供方法、コンテンツ提供システム、通信装置及びコンピュータプログラムを提供することを目的とする。
【０００７】
本発明の他の目的は、選択された番組の題名から該番組に関連するコンテンツデータを検索するように構成することにより、一の番組の題名に関連するコンテンツデータを検索し、提供することができるコンテンツ提供システムを提供することにある。
【０００８】
本発明の他の目的は、番組に係る番組データの一部又は全部、及び該番組に関連する文字列を対応付けたテーブルを中央装置に記憶させ、端末装置から送信された番組データの一部又は全部と、テーブルとに基づいて文字列を特定し、該文字列に基づいてコンテンツデータを検索するように構成することにより、番組に関連する各種コンテンツデータをより柔軟に検索し、提供することができるコンテンツ提供システムを提供することにある。
【０００９】
本発明の他の目的は、端末装置として携帯電話端末を備え、着信音を出力するためのデータ、又は待ち受け画面若しくは着信画面を表示するためのデータを含むコンテンツデータを提供するように構成することにより、番組に関連する着信音、待ち受け画面、着信画面のコンテンツデータを検索し、提供することができるコンテンツ提供システムを提供することにある。
【００１０】
本発明の他の目的は、端末装置が、番組の放送時間帯に該番組に関連するコンテンツデータをダウンロードし、該コンテンツデータを着信音、待ち受け画面、着信画面に設定するように構成することにより、現在放送中の番組に関連するコンテンツデータを自動的に着信音又は待ち受け画面若しくは着信画面に設定することができるコンテンツ提供システムを提供することにある。
【課題を解決するための手段】
【００１１】
本発明に係るコンテンツ提供方法は、計時手段、画像を表示する表示部及び音声を出力する音声出力部を備える携帯電話端末の着信音を出力するためのデータ、又は待ち受け画面若しくは着信画面を表示するためのデータを含むコンテンツデータを記憶するコンテンツ記憶装置からコンテンツデータを検索し、検索されたコンテンツデータを送信する中央装置と、該中央装置から送信されたコンテンツデータを受信し、受信したコンテンツデータに基づいてコンテンツを出力する前記携帯電話端末とを用いて、コンテンツデータを前記携帯電話端末に提供するコンテンツ提供方法であって、前記携帯電話端末が、放送局から放送される番組の題名、チャンネル及び放送時刻を含む番組データを取得し、前記計時手段が計時している時刻に放送されるべき番組に係る番組データの一部又は全部を含み、該番組に関連するコンテンツデータの送信を要求するコンテンツ要求データを送信し、前記中央装置が、前記携帯電話端末から送信されたコンテンツ要求データを受信し、受信したコンテンツ要求データに基づいてコンテンツ記憶装置からコンテンツデータを検索し、検索されたコンテンツデータを前記携帯電話端末に送信し、前記携帯電話端末が、前記計時手段が前記番組の放送時刻を計時している場合、前記コンテンツデータに基づいて着信音を出力し又は待ち受け画面若しくは着信画面を表示するように、該着信音又は待ち受け画面若しくは着信画面を設定することを特徴とする。
【００１２】
本発明に係るコンテンツ提供システムは、計時手段、画像を表示する表示部及び音声を出力する音声出力部を備える携帯電話端末の着信音を出力するためのデータ、又は待ち受け画面若しくは着信画面を表示するためのデータを含むコンテンツデータを記憶するコンテンツ記憶装置からコンテンツデータを検索し、検索されたコンテンツデータを送信する中央装置と、該中央装置から送信されたコンテンツデータを受信し、受信したコンテンツデータに基づいてコンテンツを出力する前記携帯電話端末とを備えるコンテンツ提供システムであって、前記携帯電話端末は、放送局から放送される番組の題名、チャンネル及び放送時刻を含む番組データを取得する取得手段と、前記計時手段が計時している時刻に放送されるべき番組に係る番組データの一部又は全部を含み、該番組に関連するコンテンツデータの送信を要求するコンテンツ要求データを送信する送信手段とを備え、前記中央装置は、前記携帯電話端末から送信されたコンテンツ要求データを受信する受信手段と、該受信手段が受信したコンテンツ要求データに基づいてコンテンツ記憶装置からコンテンツデータを検索する検索手段と、該検索手段にて検索されたコンテンツデータを前記携帯電話端末に送信する手段とを備え、更に、前記携帯電話端末は、前記計時手段が前記番組の放送時刻を計時している場合、前記コンテンツデータに基づいて着信音を出力し又は待ち受け画面若しくは着信画面を表示するように、該着信音又は待ち受け画面若しくは着信画面を設定する手段を備えることを特徴とする。
【００１３】
本発明に係るコンテンツ提供システムは、前記コンテンツ要求データは番組の題名を含み、前記検索手段は、前記コンテンツ要求データに含まれる題名に基づいてコンテンツデータを検索するようにしてあることを特徴とする。
【００１４】
本発明に係るコンテンツ提供システムは、前記中央装置は、番組に係る前記番組データの一部又は全部、及び該番組に関連する文字列を対応付けたテーブルを記憶する記憶手段と、前記受信手段が受信したコンテンツ要求データに含まれる番組データの一部又は全部、及び前記記憶手段が記憶しているテーブルに基づいて、前記番組に関連する文字列を特定する特定手段とを備え、前記検索手段は、前記特定手段が特定した文字列に基づいて、コンテンツデータを検索する手段を備えることを特徴とする。
【００１７】
本発明に係る携帯電話端末は、計時手段、画像を表示する表示部及び音声を出力する音声出力部を備え、着信音を出力するためのデータ、又は待ち受け画面若しくは着信画面を表示するためのデータを含むコンテンツデータを受信し、受信したコンテンツデータに基づいてコンテンツを出力する携帯電話端末であって、放送局から放送される番組の題名、チャンネル及び放送時刻を含む番組データを取得する取得手段と、前記計時手段が計時している時刻に放送されるべき番組に係る番組データの一部又は全部を含み、該番組に関連するコンテンツデータの送信を要求するコンテンツ要求データを送信する送信手段と、前記計時手段が前記番組の放送時刻を計時している場合、前記コンテンツデータに基づいて着信音を出力し又は待ち受け画面若しくは着信画面を表示するように、該着信音又は待ち受け画面若しくは着信画面を設定する手段とを備えることを特徴とする。
【００１９】
本発明に係るコンピュータプログラムは、計時手段、画像を表示する表示部及び音声を出力する音声出力部を備え、着信音を出力するためのデータ、又は待ち受け画面若しくは着信画面を表示するためのデータを含むコンテンツデータを受信し、受信したコンテンツデータに基づいてコンテンツを出力する携帯電話端末のコンピュータに、前記計時手段が計時している時刻に放送されるべき番組に係る番組データの一部又は全部を含み、該番組に関連するコンテンツデータの送信を要求するコンテンツ要求データを生成し、前記計時手段が前記番組の放送時刻を計時している場合、前記コンテンツデータに基づいて着信音を出力し又は待ち受け画面若しくは着信画面を表示するように、該着信音又は待ち受け画面若しくは着信画面を設定する処理を実行させることを特徴とする。
【００２１】
本発明にあっては、端末装置（通信装置）は番組データを取得し、取得した番組データに基づいて電子番組表を表示する。該電子番組表は、使用者所望のコンテンツデータを受け付けるためのインタフェースとして機能する。そして、端末装置は、電子番組表から一の番組を受け付け、受け付けた一の番組に係る番組データの一部又は全部を含み、該番組に関連するコンテンツデータの送信を要求するコンテンツ要求データを中央装置（通信装置）に送信する。番組データは、電子番組表を構成するために必要な番組の題名、チャンネル及び放送時刻等のデータを含む。また、コンテンツ要求データに含まれる番組データの一部又は全部は、番組の題名、チャンネル等であり、該番組に関連するコンテンツデータを検索するために用いられる。
中央装置は、端末装置から送信されたコンテンツ要求データから、一の番組に係る番組データの一部又は全部を抽出し、該番組に関連するコンテンツデータを検索する。そして、中央装置は、検索されたコンテンツデータを端末装置に送信する。
従って、電子番組表を用いることで、一の番組に関連する各種コンテンツデータを効率的に検索し、提供することが可能になる。
【００２２】
本発明にあっては、端末装置は、番組の題名を含むコンテンツ要求データを送信し、中央装置は番組の題名に基づいて、該番組に関連するコンテンツデータを検索する。
従って、番組の題名と関連する各種コンテンツデータを検索し、端末装置に提供することが可能になる。
【００２３】
本発明にあっては、中央装置は、番組に係る前記番組データの一部又は全部、及び該番組に関連する文字列を対応付けたテーブルを記憶する記憶手段を備えている。該テーブルは、番組に関連するコンテンツデータをより柔軟に検索するためのデータである。そして、中央装置の特定手段は、受信したコンテンツ要求データに含まれる番組データの一部又は全部、及び前記テーブルに基づいて、前記番組に関連する文字列を特定し、検索手段は特定された文字列に基づいてコンテンツデータを検索する。
従って、一の番組に関連する各種コンテンツデータをより柔軟に検索し、提供することが可能になる。
【００２４】
本発明にあっては、端末装置は携帯電話端末である。コンテンツデータに端末装置の着信音を出力するためのデータが含まれている場合、端末装置は、コンテンツデータに基づいて、音声出力部から音声のコンテンツを出力する。同様に、コンテンツデータに端末装置の待ち受け画面又は着信画面を表示するためのデータが含まれている場合、端末装置は、コンテンツデータに基づいて、表示部に画像のコンテンツを表示する。なお、画像には、静止画像のみならず動画像が含まれる。
従って、番組に関連する着信音又は待ち受け画面若しくは着信画面のコンテンツデータを端末装置に提供し、出力させることが可能になる。
【００２５】
本発明にあっては、端末装置の送信手段は、計時手段が計時している時刻に放送されるべき番組に係る番組データの一部又は全部を含み、該番組に関連するコンテンツデータの送信を要求するコンテンツ要求データを送信する。このため、端末装置は、現在放送中の番組に関連するコンテンツデータを受信することができる。そして、端末装置は、計時手段が前記番組の放送時刻を計時している場合、前記コンテンツデータに基づいて着信音を出力し又は待ち受け画面若しくは着信画面を表示するように、該着信音又は待ち受け画面若しくは着信画面を設定する。
従って、現在放送中の番組に関連するコンテンツデータを自動的に、着信音又は待ち受け画面若しくは着信画面に設定し、該番組の放送時間帯にコンテンツを出力することが可能になる。
【発明の効果】
【００２６】
本発明によれば、電子番組表を用いることにより、番組に関連する使用者所望の各種コンテンツデータを効率的に提供することができる。
【００２７】
本発明によれば、番組の題名に関連する各種コンテンツデータを検索し、提供することができる。
【００２８】
本発明によれば、番組データの一部又は全部、及び番組に関連する文字列を対応付けたテーブルを用いることによって、番組に関連する各種コンテンツデータをより柔軟に検索し、提供することができる。
【００２９】
本発明によれば、番組に関連する着信音、待ち受け画面、着信画面のコンテンツデータを検索し、提供することができる。
【００３０】
本発明によれば、現在放送中の番組に関連するコンテンツデータを自動的に着信音又は待ち受け画面若しくは着信画面に設定することができる。
【発明を実施するための最良の形態】
【００３１】
以下、本発明をその実施の形態を示す図面に基づいて詳述する。
図１は、本発明の実施の形態に係るコンテンツ提供システムの構成を示す模式図である。本発明の実施の形態に係るコンテンツ提供システムは、コンテンツサーバ（コンテンツ記憶装置）２からコンテンツデータを検索し、検索されたコンテンツデータを送信するコンテンツ提供装置（中央装置，通信装置）１と、通信網Ｎを介してコンテンツ提供装置１から送信されたコンテンツデータを受信し、受信したコンテンツデータに基づいてコンテンツを出力する携帯電話端末（端末装置，通信装置）３とを備える。本発明に係るコンテンツ提供システムは、コンテンツデータ提供用のインタフェースとして電子番組表を用いることにより、番組に関連する使用者所望の各種コンテンツデータを効率的に提供することを可能にするものである。
【００３２】
図２は、コンテンツ提供装置１の構成を模式的に示すブロック図である。コンテンツ提供装置１は、装置全体を制御するＣＰＵ１０を備えたコンピュータである。ＣＰＵ１０には、ＲＯＭ１１、ＲＡＭ１２、外部記憶装置１３、内部記憶装置１５、マウス、キーボード等の入力装置１４、液晶ディスプレイ、ＣＲＴ等の出力装置１６、第１通信部１７及び第２通信部１８がバス１９を介して接続されている。
【００３３】
ＲＯＭ１１は、コンピュータの動作に必要な制御プログラムを記憶したマスクＲＯＭ、ＥＥＰＲＯＭ等の不揮発性メモリである。
ＲＡＭ１２は、ＣＰＵ１０の演算処理を実行する際に生ずる各種データを一時記憶するＤＲＡＭ、ＳＲＡＭ等の揮発性メモリである。
外部記憶装置１３は、本発明の実施の形態に係るコンピュータプログラム５ａをコンピュータ読み取り可能に記録したＣＤ−ＲＯＭ、ＤＶＤ−ＲＯＭ等の記録媒体５からデータを読み取る光ディスクドライブである。
内部記憶装置１５は、例えばハードディスクであり、外部記憶装置１３が記録媒体５から読み取ったコンピュータプログラム５ａを記録する。また、内部記憶装置１５は、後述のコンテンツ検索テーブル１５ａを記憶している。コンテンツ検索テーブル１５ａは、番組に関連するコンテンツデータをより柔軟に検索するためのデータを有している。
第１通信部１７は、携帯電話端末３との間でコンテンツ要求データ、コンテンツデータ、その他各種データを送受信するためのインタフェースである。
第２通信部１８には、コンテンツサーバ２が接続されている。第２通信部１８は、コンテンツサーバ２との間で各種データの送受信を行うインタフェースである。
ＣＰＵ１０は、内部記憶装置１５が記憶しているコンピュータプログラム５ａをＲＡＭ１２に読み出して実行することにより、本発明に係るコンテンツ提供方法を実施する。
【００３４】
コンテンツサーバ２は、コンテンツデータのデータベース（以下、ＤＢと表記する）を記憶したコンピュータである。コンテンツサーバ２は、例えば着信音に係るコンテンツデータを格納した着信音ＤＢ２ａと、待ち受け画面・着信画面に係るコンテンツデータを格納した待ち受け・着信画面ＤＢ２ｂと、書籍・コミック・写真集に係るコンテンツデータを格納した書籍・コミック・写真集ＤＢ２ｃと、ゲームに係るコンテンツデータを格納したゲームＤＢ２ｄと、デコメールに係るコンテンツデータを格納したデコメールＤＢ２ｅと、交通・グルメ・旅行に係るコンテンツデータを格納した交通・グルメ・旅行ＤＢ２ｆとを記憶している。
【００３５】
図３は、各種ＤＢの一例を概念的に示す説明図である。
図３（ａ）は、着信音ＤＢ２ａのレコードレイアウトの一例を概念的に示している。着信音ＤＢ２ａの表は、複数の列、例えば少なくとも「コンテンツＩＤ」及び「コンテンツデータ」から構成されており、各行は、各列に格納されたデータを有する。「コンテンツＩＤ」列は、コンテンツに固有の数値である。「コンテンツデータ」列は、「声優Ａ１の着信音」、「声優Ａ２の着信音」、「俳優Ｂ１の着信音」等のコンテンツデータを、コンテンツＩＤに対応付けて格納している。着信音は、例えば、いわゆる着信ボイス、着うた（登録商標）、着うたフル（登録商標）、着信メロディ等の音声データである。なお、音声データのデータ形式は特に限定されない。
図３（ｂ）は、待ち受け・着信画面ＤＢ２ｂのレコードレイアウトの一例を概念的に示している。待ち受け・着信画面ＤＢ２ｂの表は、複数の列、例えば少なくとも「コンテンツＩＤ」及び「コンテンツデータ」から構成されており、各行は、各列に格納されたデータを有する。「コンテンツデータ」列は、「題名ＡＡＡの静止画」、「声優Ａ１の動画」、「アナウンサーＤ１の静止画」等のコンテンツデータを、コンテンツＩＤに対応付けて格納している。なお、静止画、動画等のデータ形式は特に限定されない。
図３（ｃ）は、書籍・コミック・写真集ＤＢ２ｃのレコードレイアウトの一例を概念的に示している。書籍・コミック・写真集ＤＢ２ｃの表は、複数の列、例えば少なくとも「コンテンツＩＤ」及び「コンテンツデータ」から構成されており、各行は、各列に格納されたデータを有する。「コンテンツデータ」列は、「題名ＡＡＡのコミック」、「題名ＢＢＢの書籍」、「俳優Ｃ１の写真集」等のコンテンツデータを、コンテンツＩＤに対応付けて格納している。なお、書籍・コミック・写真集は、テキストデータ、画像データ等であり、そのデータ形式は特に限定されない。
その他、ゲームＤＢ２ｄ、デコメールＤＢ２ｅ及び交通・グルメ・旅行ＤＢ２ｆのレコードレイアウトも同様の構成であり、各ＤＢの表は、「コンテンツＩＤ」及び「コンテンツデータ」列から構成されている。
【００３６】
図４は、コンテンツ検索テーブル１５ａのレコードレイアウトの一例を概念的に示す説明図である。コンテンツ検索テーブル１５ａは、複数の列、例えば「番組ＩＤ」、「番組の題名」、「出演者・声優」、「主題歌」及び「撮影場所」から構成されており、各行は、各列に格納されたデータを有する。「番組ＩＤ」列は、番組に固有の数値である。「番組の題名」列は、図示しない放送局から放送される番組の題名、例えば「題名ＡＡＡ」、「題名ＢＢＢ」、「題名ＣＣＣ」、「題名ＤＤＤ」を番組ＩＤに対応付けて格納している。同様に、「出演者・声優」列は、番組の出演者又は声優の氏名、芸名、変名、又はその略称を格納し、「主題歌」列は、番組の主題歌のタイトルを格納し、「撮影場所」列は、番組の撮影場所を番組ＩＤに対応付けて格納している。例えば、「声優Ａ１，声優Ａ２」、「主題歌ａ１」が番組ＩＤ０００１に対応付けられている。
【００３７】
図５は、携帯電話端末３の構成を模式的に示すブロック図である。携帯電話端末３は、装置全体を制御するＣＰＵ３０を備えている。ＣＰＵ３０には、ＲＯＭ３１、ＲＡＭ３２、記憶部３３、他の携帯電話端末又はコンテンツ提供装置１と各種データを送受信する通信部３４、携帯電話端末３を操作するための、番号ボタン、十字キー、決定ボタン、メニューボタン等の操作部３５、使用者が発話した音声を電気信号に変換して送信するマイクロホン３６、コンテンツデータに基づいて待ち受け画面、着信画面等の画像を表示する表示部３７、受信した音声又はコンテンツデータに基づいて音声を出力する音声出力部３８及び時計部（計時手段）３９がバス４０を介して接続されている。
ＲＯＭ３１及び記憶部３３は、ＣＰＵ３０の動作に必要なプログラムを記憶している。特に記憶部３３は、電子番組表６（図８参照）の生成、電子番組表６から選択された番組に関連するコンテンツデータを要求するためのコンテンツ要求データの生成、コンテンツデータを着信音、待ち受け画面、着信画面に設定するためのコンピュータプログラム３３ａを記憶している。ＣＰＵ３０は、ＲＯＭ３１が記憶しているプログラム及び記憶部３３が記憶しているコンピュータプログラム３３ａをＲＡＭ３２に読み出して実行することにより、本発明に係るコンテンツ提供方法を実施する。
【００３８】
図６及び図７は、コンテンツデータの提供に係るＣＰＵ１０，３０の処理手順を示すフローチャートである。携帯電話端末３のＣＰＵ３０は、放送局から放送される番組の題名、チャンネル及び放送時刻を含む番組データを通信部３４にて取得する（ステップＳ１１）。
番組データは、通信網Ｎを通じて、番組データの提供を行う外部の番組データ提供装置から取得する。なお、図示しない放送局から放送される放送信号には番組データが含まれており、該放送信号を携帯電話端末３にて受信し、受信した放送信号から番組データを取得するように構成しても良い。
【００３９】
そして、ＣＰＵ３０は、ステップＳ１１で取得した番組データに基づいて電子番組表６を生成し（ステップＳ１２）、生成した電子番組表６を表示部３７に表示させる（ステップＳ１３）。
【００４０】
図８は、表示部３７に表示された電子番組表６の一例を示す模式図である。
電子番組表６は、横方向に配列した複数のチャンネルセルを有しており、各チャンネルセルは「４チャンネル」、「６チャンネル」等の文字を表示している。各チャンネルセルの下方には、各チャンネルで放送される番組の題名、例えば「４チャンネル」の下方には、「題名ＡＡＡ」、「題名ＥＥＥ」等を表示した番組セルが縦方向に、放送時刻順で配列している。また、電子番組表６には、番組を選択するためのカーソルバー６０が表示されている。
【００４１】
次いで、ＣＰＵ３０は、電子番組表６から一の番組を操作部３５にて受け付ける（ステップＳ１４）。
【００４２】
そして、ＣＰＵ３０は、選択された番組の題名を含み、該番組に関連するコンテンツデータの送信を要求するコンテンツ要求データを生成し、生成したコンテンツ要求データを通信部３４にてコンテンツ提供装置１に送信する（ステップＳ１５）。
【００４３】
コンテンツ提供装置１のＣＰＵ１０は、携帯電話端末３から送信されたコンテンツ要求データを第１通信部１７にて受信する（ステップＳ１６）。コンテンツ要求データを受信した場合、ＣＰＵ１０は、コンテンツのメニューリストを構成するためのメニューリストデータを第１通信部１７にて携帯電話端末３に送信する（ステップＳ１７）。
【００４４】
携帯電話端末３のＣＰＵ３０は、コンテンツ提供装置１から送信されたメニューリストデータを通信部３４にて受信し（ステップＳ１８）、受信したメニューリストデータに基づいて、コンテンツのメニューリストを表示部３７に表示させる（ステップＳ１９）。メニューリストは、コンテンツのジャンル、例えば「着信音」、「待ち受け・着信画面」、「書籍・コミック・写真集」、「ゲーム」、「デコメール」、「交通・グルメ・旅行」等の各文字列を配列したものである。
【００４５】
そして、ＣＰＵ３０は、メニューリストから一のジャンルを操作部３５にて受け付け（ステップＳ２０）、受け付けた一のジャンルを示すジャンルデータを通信部３４にてコンテンツ提供装置１に送信する（ステップＳ２１）。
【００４６】
コンテンツ提供装置１のＣＰＵ１０は、携帯電話端末３から送信されたジャンルデータを第１通信部１７にて受信する（ステップＳ２２）。そして、ＣＰＵ１０は、ステップＳ１６で受信していたコンテンツ要求データから番組の題名を抽出し（ステップＳ２３）、抽出された番組の題名及びステップＳ２２で受信したジャンルデータに基づいて、コンテンツデータを検索する（ステップＳ２４）。例えば、番組の題名「ＡＡＡ」、及びジャンル「書籍・コミック・写真集」に基づいてコンテンツデータの検索が行われた場合、「題名ＡＡＡのコミック」が検索される。
【００４７】
次いで、ＣＰＵ１０は、抽出された番組の題名及びコンテンツ検索テーブル１５ａに基づいて、該番組に関連する文字列を特定する（ステップＳ２５）。例えば、番組の題名「ＡＡＡ」及びコンテンツ検索テーブル１５ａに基づいて、該番組に関連する文字列として、「声優Ａ１」、「声優Ａ２」、「主題歌ａ１」が特定される。
【００４８】
そして、ＣＰＵ１０は、ステップＳ２５で特定した文字列及びステップＳ２２で受信したジャンルデータに基づいてコンテンツデータを検索し（ステップＳ２６）、検索されたコンテンツデータを第１通信部１７にて携帯電話端末３に送信する（ステップＳ２７）。
【００４９】
携帯電話端末３のＣＰＵ３０は、コンテンツ提供装置１から送信されたコンテンツデータを通信部３４にて受信する（ステップＳ２８）。具体的には、検索されたコンテンツデータの一覧を携帯電話端末３の表示部３７に表示し、使用者所望のコンテンツデータの選択を受け付けて、選択されたコンテンツデータをコンテンツ提供装置１から携帯電話端末３に送信する。
【００５０】
図９は、検索されたコンテンツデータの一覧を示す模式図である。例えば、番組の「題名ＡＡＡ」、ジャンルとして「書籍・コミック・写真集」が選択された場合、図９（ａ）に示すように、コミックＡＡＡのコンテンツデータ、「第一話○○○」、「第二話△△△」、「第三話×××」の一覧が携帯電話端末３の表示部３７に表示される。使用者は所望のコンテンツデータを操作部３５にて選択することで、コンテンツデータを受信することができる。
同様に、例えば、番組の「題名ＡＡＡ」、ジャンルとして「着信音」が選択された場合、図９（ｂ）に示すように、声優Ａ１の着信音に係るコンテンツデータ「おはよ！朝だよ！」、声優Ａ２の着信音に係るコンテンツデータ「シシシ・・・」の一覧が携帯電話端末３の表示部３７に表示される。使用者は所望のコンテンツデータを操作部３５にて選択することで、コンテンツデータを受信することができる。
【００５１】
ステップＳ２８の処理を終えた場合、ＣＰＵ３０は、受信したコンテンツデータに基づいて、コンテンツを表示部３７又は音声出力部３８にて出力し（ステップＳ２９）、コンテンツデータに係る各種設定、例えばコンテンツデータを着信音、待ち受け画面、着信画面等に設定し（ステップＳ３０）、処理を終える。
【００５２】
このように構成された実施の形態に係るコンテンツ提供方法、コンテンツ提供システム、コンテンツ提供装置１、携帯電話端末３、及びコンピュータプログラム５ａ，３３ａにあっては、電子番組表６を用いることにより、番組に関連する各種コンテンツデータをコンテンツ提供装置１から携帯電話端末３に効率的に提供することができる。
【００５３】
また、番組の題名及び該番組に係る文字列に基づいて、該番組に関連する各種コンテンツデータを柔軟に検索し、提供することができる。
【００５４】
更に、番組に関連する着信音、待ち受け画面、着信画面、書籍・コミック・写真集、ゲーム、デコメール、交通・グルメ・旅行情報等のコンテンツデータを検索し、検索されたコンテンツデータを携帯電話端末３に提供することができる。
【００５５】
図１０及び図１１は、変形例に係るＣＰＵ１０，３０の処理手順を示すフローチャートである。携帯電話端末３のＣＰＵ３０は、番組の題名、チャンネル及び放送時刻を含む番組データを通信部３４にて取得する（ステップＳ５１）。
【００５６】
次いで、ＣＰＵ３０は、時計部３９から時刻データを取得し（ステップＳ５２）、取得した時刻データが示す時刻に放送されるべき一の番組を選択する（ステップＳ５３）。
一の番組は、例えば、時刻データが示す時刻に放送される番組であって、録画予約されているものを選択するように構成すると良い。録画予約されている番組は、公知の録画予約システムが構築されている場合、外部の録画予約管理サーバに問い合わせることで特定することができる。携帯電話端末３で録画予約操作を行った場合、録画予約された番組を記憶部３３に記憶させておき、記憶部３３から録画予約されている番組を特定するように構成しても良い。
また、予め使用者所望の一の番組を携帯電話端末３が操作部３５にて受け付け、該一の番組を記憶部３３に記憶させるように構成しても良い。
更に、放送時刻が一致する複数の番組の中から一の番組をランダムに選択しても良い。
【００５７】
ステップＳ５３の処理で選択された一の番組の題名及び所定のジャンルデータを含み、該番組に関連するコンテンツデータの送信を要求するコンテンツ要求データを生成し、生成したコンテンツ要求データを通信部３４にてコンテンツ提供装置１に送信する（ステップＳ５４）。所定のジャンルは、例えば「着信音」又は「待ち受け・着信画面」である。
【００５８】
コンテンツ提供装置１のＣＰＵ１０は、携帯電話端末３から送信されたコンテンツ要求データを第１通信部１７にて受信する（ステップＳ５５）。コンテンツ要求データを受信した場合、ＣＰＵ１０は、受信したコンテンツ要求データから番組の題名及びジャンルデータを抽出し（ステップＳ５６）、抽出された番組の題名及びジャンルデータに基づいて、コンテンツデータを検索する（ステップＳ５７）。次いで、ＣＰＵ１０は、抽出された番組の題名及びコンテンツ検索テーブル１５ａに基づいて、該番組に関連する文字列を特定する（ステップＳ５８）。
【００５９】
そして、ＣＰＵ１０は、ステップＳ５８で特定した文字列及びジャンルデータに基づいてコンテンツデータを検索し（ステップＳ５９）、検索されたコンテンツデータを第１通信部１７にて携帯電話端末３に送信する（ステップＳ６０）。
【００６０】
携帯電話端末３のＣＰＵ３０は、コンテンツ提供装置１から送信されたコンテンツデータを通信部３４にて受信し（ステップＳ６１）、番組の題名及び放送時間と関連づけて、ステップＳ６１で受信したコンテンツデータを記憶部３３に記憶させる（ステップＳ６２）。そして、ＣＰＵ３０は、時計部３９から時刻データを取得し（ステップＳ６３）、現時刻に放送される番組に対応するコンテンツデータがあるか否か、つまり記憶部３３が前記コンテンツデータを記憶しているか否かを判定する（ステップＳ６４）。
【００６１】
現時刻に放送される番組に対応するコンテンツデータがあると判定した場合（ステップＳ６４：ＹＥＳ）、ＣＰＵ３０は、対応するコンテンツデータを着信音、待ち受け画面、着信画面等に設定し（ステップＳ６５）、処理を終える。現時刻に放送される番組に対応するコンテンツデータがないと判定した場合（ステップＳ６４：ＮＯ）、ＣＰＵ３０は、予め設定された標準のコンテンツデータを着信音、待ち受け画面、着信画面等に設定し（ステップＳ６６）、処理を終える。
【００６２】
変形例に係るコンテンツ提供方法、コンテンツ提供システム、コンテンツ提供装置１、携帯電話端末３、及びコンピュータプログラム５ａ，３３ａにあっては、現在放送中の番組に関連するコンテンツデータを自動的にダウンロードし、ダウンロードしたコンテンツデータを携帯電話端末３の着信音又は待ち受け画面若しくは着信画面に設定することができる。
【００６３】
なお、実施の形態においては、端末装置の一例として携帯電話端末を例示したが、中央装置との間で通信が可能であれば、パーソナルコンピュータ、ＰＤＡ（Personal Digital Assistant）、ＰＮＤ（Personal Navigation Device）、携帯ゲーム機等の他の端末装置であっても良い。
【００６４】
また、中央装置が提供するコンテンツデータとして着信音、待ち受け画面、着信画面を例示したが、コンテンツの内容はこれらに限定されず、その他の各種データが含まれる。例えば、番組がドラマである場合、該ドラマのロケ地、撮影で使用されたレストラン、ホテル、カフェの所在、電話番号、ＵＲＬ等を含むコンテンツデータを提供するように構成しても良い。
【００６５】
更に、コンテンツ検索テーブルの一例を図４に示したが、コンテンツ検索テーブルの内容はこれに限定されない。例えば、「番組の題名」に「主題歌の歌手名」、「挿入歌」、「監督」、「原作」等の情報を対応付けるように構成しても良い。また、番組に関連する文字列と、該文字列と更に関連を有する文字列とを対応付けたテーブルを備え、該テーブルを用いて番組に関連する情報の検索及び提供を行うように構成しても良い。例えば、番組に関連する文字列「主題歌」と、該文字列と内容が関連する文字列「歌手名」とを対応付けたテーブルを備えると良い。更に、「番組の題名」と、生放送の番組において予告無しで放送される「楽曲名」とを対応付けたコンテンツ検索テーブルを備えても良い。このように構成した場合、中央装置は、予告無しで放送された楽曲に関するコンテンツデータを携帯電話端末に提供し、携帯電話端末は前記楽曲に関するコンテンツデータを受信し、出力することができる。
【００６６】
更にまた、変形例において番組を特定する方法は、上述の方法に限定されない。例えば、音声認識によって、使用者が視聴中の一の番組を特定するように構成しても良い。即ち、携帯電話端末に、放送信号を受信する放送信号受信手段と、該放送信号受信手段が受信した放送信号から番組の音声データを抽出する手段と、マイクロホンにて音声データを取得する手段と、抽出された音声データ及び取得された音声データを比較する手段と、比較結果に基づいて一の番組を特定する手段とを備えるように構成しても良い。
また、特許文献２に係る発明を利用して、携帯電話端末とテレビとを相互通信可能に構成し、視聴中の番組を示すデータをテレビが携帯電話端末に送信し、携帯電話端末が前記データを受信し、視聴中の番組を特定し、視聴中の番組に関連するコンテンツデータを着信音、待ち受け画面、着信画面に設定しても良い。
このように構成した場合、テレビで一の番組を視聴している場合、携帯電話端末が着信したとき、該番組に関連したコンテンツデータに基づいて着信音を出力することができるため、携帯電話端末は、前記一の番組を視聴している使用者の雰囲気を壊さないように着信することができる。
【００６７】
更にまた、今回開示された実施の形態はすべての点で例示であって、制限的なものではない。本発明の範囲は、特許請求の範囲によって示され、特許請求の範囲と均等の意味及び範囲内でのすべての変更が含まれる。
【図面の簡単な説明】
【００６８】
【図１】本発明の実施の形態に係るコンテンツ提供システムの構成を示す模式図である。
【図２】コンテンツ提供装置の構成を模式的に示すブロック図である。
【図３】各種ＤＢの一例を概念的に示す説明図である。
【図４】コンテンツ検索テーブルのレコードレイアウトの一例を概念的に示す説明図である。
【図５】携帯電話端末の構成を模式的に示すブロック図である。
【図６】コンテンツデータの提供に係るＣＰＵの処理手順を示すフローチャートである。
【図７】コンテンツデータの提供に係るＣＰＵの処理手順を示すフローチャートである。
【図８】表示部に表示された電子番組表の一例を示す模式図である。
【図９】検索されたコンテンツデータの一覧を示す模式図である。
【図１０】変形例に係るＣＰＵの処理手順を示すフローチャートである。
【図１１】変形例に係るＣＰＵの処理手順を示すフローチャートである。
【符号の説明】
【００６９】
１  コンテンツ提供装置（中央装置、通信装置）
２  コンテンツサーバ（コンテンツ記憶装置）
３  携帯電話端末（端末装置、通信装置）
５  記録媒体
５ａ  コンピュータプログラム
１０  ＣＰＵ
１５ａ  コンテンツ検索テーブル
１７  第１通信部
１８  第２通信部
３０  ＣＰＵ
３３  記憶部
３３ａ  コンピュータプログラム
３４  通信部
３５  操作部
３７  表示部
３８  音声出力部
３９  時計部（計時手段）
Ｎ  通信網
【図１】
0005219570.tif 000002
【図２】
0005219570.tif 000003
【図３】
0005219570.tif 000004
【図４】
0005219570.tif 000005
【図５】
0005219570.tif 000006
【図６】
0005219570.tif 000007
【図７】
0005219570.tif 000008
【図８】
0005219570.tif 000009
【図９】
0005219570.tif 000010
【図１０】
0005219570.tif 000011
【図１１】
0005219570.tif 000012